【手続補正書】
【提出日】平成23年3月23日(2011.3.23)
【手続補正１】
【補正対象書類名】特許請求の範囲
【補正対象項目名】全文
【補正方法】変更
【補正の内容】
【特許請求の範囲】
【請求項１】
体開口内に留置導入するカテーテルにおいて、
ポリマーで形成された細長いフレキシブル本体部分を有し、該細長いフレキシブル本体部分は、第一端部および第二端部と、少なくとも１つの内部ルーメンと、外表面とを備え、
フレキシブル導入部材を有し、該フレキシブル導入部材は、第一端部および第二端部を備えかつ前記細長いフレキシブル本体部分の前記外表面の周囲に配置され、
フレキシブルポリマースリーブを更に有し、該フレキシブルポリマースリーブは第一端部および第二端部を備え、前記フレキシブルポリマースリーブの前記第一端部は前記フレキシブル導入部材に取付けられることを特徴とするカテーテル。
【請求項２】
前記少なくとも１つの内部ルーメンと流体連通しかつ前記細長いフレキシブル本体部分の第二端部に配置されるファンネルを更に有していることを特徴とする請求項１記載のカテーテル。
【請求項３】
前記フレキシブルポリマースリーブの第二端部は、前記ファンネルに取付けられることを特徴とする請求項２記載のカテーテル。
【請求項４】
前記細長いフレキシブル本体部分の第一端部は、チップ部分に終端していることを特徴とする請求項３記載のカテーテル。
【請求項５】
前記フレキシブルポリマースリーブは、カテーテルの配置後に該フレキシブルポリマースリーブを取外すための、該フレキシブルポリマースリーブの少なくとも一部の長さに沿って長手方向に配置された引裂きストリップを更に有していることを特徴とする請求項４記載のカテーテル。
【請求項６】
前記ポリマーは疎水性ポリマーであることを特徴とする請求項１記載のカテーテル。
【請求項７】
前記カテーテルはフォリイ・カテーテルであることを特徴とする請求項１記載のカテーテル。
【請求項８】
前記フレキシブル導入部材は、ポリエチレン、ポリプロピレン、ポリエステル、またはこれらのコポリマーおよびターポリマーから選択されたフレキシブルポリマーで形成されていることを特徴とする請求項１記載のカテーテル。
【請求項９】
前記フレキシブルポリマースリーブは、ポリ塩化ビニリデン、ポリエチレン、ポリプロピレン、ポリエステル、またはこれらのコポリマーおよびターポリマーから選択されたシート形成ポリマーで形成されていることを特徴とする請求項１記載のカテーテル。
【請求項１０】
前記フレキシブルポリマースリーブは、ポリ塩化ビニリデン、低密度ポリエチレンまたは線状低密度ポリエチレンで形成されていることを特徴とする請求項９記載のカテーテル。
【請求項１１】
前記細長いフレキシブル本体部分の前記外表面の少なくとも一部および前記フレキシブル導入部材の少なくとも１つの表面にポリマーコーティングを更に有していることを特徴とする請求項１記載のカテーテル。
【請求項１２】
前記ポリマーコーティングは、
少なくとも１つのポリマーと、
１種類以上のオリゴジナミー金属の塩または酸化物を含むコロイドとからなる組成物を有し、前記１種類以上のオリゴジナミー金属の塩または酸化物は、１種類以上の有機体が組成物に微生物付着することを抑制することを特徴とする請求項１１記載のカテーテル。
【請求項１３】
前記１種類以のオリゴジナミー金属の塩または酸化物は、１種類以上の病原の培養物培上に置かれたときに、１種類以上の病原に対する抑制ゾーンを形成することを特徴とする請求項１２記載のカテーテル。
【請求項１４】
前記１種類以のオリゴジナミー金属の塩または酸化物は、１種類以上の病原の培養物培上に置かれたときに、１種類以上の病原に対する抑制ゾーンを形成しないことを特徴とする請求項１２記載のカテーテル。
【請求項１５】
前記１種類以上のオリゴジナミー金属の塩または酸化物は銀塩であることを特徴とする請求項１２記載のカテーテル。
【請求項１６】
前記銀塩は、塩化銀、ヨウ化銀、クエン酸銀、乳酸銀、酢酸銀、プロピオン酸銀、サリチル酸銀、臭化銀、アスコルビン酸銀、銀ラウレルスルフェート（silver laurel sulfate）、リン酸銀、硫酸銀、酸化銀、安息香酸銀、炭酸銀、銀スルファジアジン（silver sulfadiazine）、銀グルコネート（silver gluconate）から選択されることを特徴とする請求項１５記載のカテーテル。
【請求項１７】
前記コロイドは、２種類以上のオリゴジナミー金属の塩からなることを特徴とする請求項１２記載のカテーテル。
【請求項１８】
１種類以上のオリゴジナミー金属塩は、異なる水溶性を有していることを特徴とする請求項１２記載のカテーテル。
【請求項１９】
前記ポリマーコーティングのポリマーは、ポリウレタン、ポリビニルピロリドン、ポリビニルアルコール、ポリエチレングリコール、ポリプロピレングリコール、ポリオキシエチレン、ポリアクリル酸、ポリアクリルアミド、カルボキシメチルセルロース、デキストラン、ポリサッカリド、スターチ、グアー、キサンタンおよび他のガム、コラーゲン、ゼラチン、生物学的ポリマー、ポリテトラフルオロエチレン、ポリ塩化ビニル、ポリ酢酸ビニル、ポリ（エチレン・テレフタレート）、シリコーン、ポリエステル、ポリアミド、ポリユリア、スチレン−ブロックコポリマー、ポリメチルメタクリレート、ポリアクリレート、アクリルーブタジエンースチレンコポリマー、ポリエチレン、ポリスチレン、ポリプロピレン、天然ゴムおよび合成ゴム、アクニトリルゴム、セルロース、またはこれらの混合物、誘導体またはコポリマーから選択されることを特徴とする請求項１２記載のカテーテル。
【請求項２０】
前記組成物は更に、抗バクテリア剤、免役増進剤、抗真菌薬、抗ウイルス薬、抗生物質、製剤、麻酔薬、鎮痛剤、またはこれらの組合せから選択された少なくとも１つの活性剤からなることを特徴とする請求項１２記載のカテーテル。
【請求項２１】
前記カテーテルは、フレキシブル導入部材の第一端部に取付けることができる着脱可能なキャップを更に有していることを特徴とする請求項１記載のカテーテル。
【請求項２２】
前記導入部材は留置セグメントを有していることを特徴とする請求項１記載のカテーテル。
【請求項２３】
前記導入部材は更に、前記フレキシブル導入部材を前記外表面上でこの外表面に沿ってスライド可能に位置決めする長手方向ボアを有していることを特徴とする請求項１記載のカテーテル。
【請求項２４】
前記フレキシブルポリマースリーブは、前記細長いフレキシブル本体部分の少なくとも実質的部分をカバーするのに充分な長さを有していることを特徴とする請求項１記載のカテーテル。
【請求項２５】
体開口内に留置導入するカテーテルにおいて、
ポリマーで形成されかつルーメンおよび外表面を備えた細長本体と、
該細長本体の外表面に沿ってスライドするように構成された導入部材と、
第一端部および第二端部を備えかつ前記細長本体の実質的部分をカバーするポリマースリーブとを有し、前記第一端部は前記導入部材に固定されることを特徴とするカテーテル。
【請求項２６】
前記導入部材の一部のみが、前記体開口内に挿入されるように構成されていることを特徴とする請求項２５記載のカテーテル。
【請求項２７】
前記ポリマースリーブの前記第二端部は、前記細長本体の近位端に固定されることを特徴とする請求項２５記載のカテーテル。
【請求項２８】
前記ポリマースリーブは前記導入部材から取外すことができることを特徴とする請求項２５記載のカテーテル。
【請求項２９】
前記細長本体は第一オリゴジナミー薬剤を有していることを特徴とする請求項２５記載のカテーテル。
【請求項３０】
前記第一オリゴジナミー薬剤は、前記細長本体の前記外表面の少なくとも一部のコーティングであることを特徴とする請求項２９記載のカテーテル。
【請求項３１】
前記導入部材は第二オリゴジナミー薬剤を有していることを特徴とする請求項２９記載のカテーテル。
【請求項３２】
前記第一オリゴジナミー薬剤は、前記第二オリゴジナミー薬剤とは異なるものであることを特徴とする請求項３１記載のカテーテル。
【請求項３３】
前記第一オリゴジナミー薬剤は、前記第二オリゴジナミー薬剤とは異なる活性プロファイルを有していることを特徴とする請求項３１記載のカテーテル。
【請求項３４】
前記第二オリゴジナミー薬剤は、迅速殺菌形効果を与えることを特徴とする請求項３１記載のカテーテル。
【請求項３５】
前記スリーブの少なくとも一部の引裂きストリップを更に有していることを特徴とする請求項２５記載のカテーテル。
【請求項３６】
前記導入部材に取付けることができる着脱可能なキャップを更に有していることを特徴とする請求項２５記載のカテーテル。